(57)【要約】  本発明に係る携帯型電子機器の一実施形態は、筐体にカメラ６が搭載されて画像撮影が可能であって、筐体には、筐体が水没状態であることを検知する圧力センサー５と、カメラ６による撮影時にシャッター音を発するスピーカ３と、該スピーカ３の動作を制御する制御回路１とが配備され、制御回路１は、圧力センサー５によって筐体が水没状態であることが検知された場合、スピーカ３から発せられるシャッター音の音量を増大させる。
2009041608.tif 000002
【特許請求の範囲】
【請求項１】
筐体にカメラが搭載されて画像撮影の可能な携帯型電子機器において、筐体には、筐体が水没状態であることを検知する水没検知手段と、カメラによる撮影時に音響若しくは光を発する撮影時動作手段と、該撮影時動作手段の動作を制御する制御手段とが配備され、前記制御手段は、前記水没検知手段によって筐体が水没状態であることが検知された場合、前記撮影時動作手段を非水没状態の通常動作から、水没状態での撮影であることを周囲に報知するための非通常動作に切り換えることを特徴とする携帯型電子機器。
【請求項２】
筐体にカメラが配備されて画像撮影の可能な携帯型電子機器において、筐体には、筐体が水没状態であることを検知する水没検知手段と、カメラによる撮影時に音響若しくは光を発する撮影時動作手段と、該撮影時動作手段の動作を制御する制御手段とが配備され、前記制御手段は、前記水没検知手段によって筐体が水没状態であることが検知され、且つ被写体に占める肌色部分の割合が所定値を越えている場合、前記撮影時動作手段を非水没状態の通常動作から、水没状態での撮影であることを周囲に報知するための非通常動作に切り換えることを特徴とする携帯型電子機器。
【請求項３】
前記撮影時動作手段は、カメラによる撮影時に音響を発するスピーカである請求項１又は請求項２に記載の携帯型電子機器。
【請求項４】
前記制御手段は、カメラによる撮影時に、前記スピーカからシャッター音を発生させるものであって、非通常動作では通常動作よりも大きな音量を設定する請求項３に記載の携帯型電子機器。
【請求項５】
前記制御手段は、水没状態でのカメラ撮影時に、前記スピーカから撮影の旨を報知する音声を発生させるものである請求項３に記載の携帯型電子機器。
【請求項６】
前記撮影時動作手段は、カメラによる撮影時に発光すべきフラッシュである請求項１又は請求項２に記載の携帯型電子機器。
【請求項７】
前記制御手段は、非通常動作では前記フラッシュを強制的に発光させるものである請求項６に記載の携帯型電子機器。
【請求項８】
前記肌色として、複数の色が設定されている請求項２に記載の携帯型電子機器。
【発明の詳細な説明】
【技術分野】
【０００１】
本発明は、カメラ付き携帯電話機やデジタルカメラ等の撮影機能を有する携帯型電子機器に関するものである。
【背景技術】
【０００２】
近年、携帯電話機においては、小型の筐体にカメラが搭載されており、電話通信のみならず、カメラを用いた撮影も可能となっている。
又、携帯電話機においては、日常の使用状態では充分な機能を発揮する防水対策が施されており、場合によっては１〜数メートル程度の水深であっても防水効果が得られるため、カメラ付き携帯電話機によれば水中での撮影も可能である。【０００３】
一方、デジタルカメラにおいて、撮影環境が陸上から水中に変化したときに水中での撮影に適した撮影条件を自動的に設定することが提案されている(例えば日本国公開特許公報２００５−３２８２２４号)。
そこで、カメラ付き携帯電話機においても、撮影環境が陸上から水中に変化したときに水中での撮影に適した撮影条件を自動的に設定することにより、高画質での水中撮影が可能となる。
【発明の開示】
【発明が解決しようとする課題】
【０００４】
しかしながら、カメラ付き携帯電話機やデジタルカメラにおいては、水中で撮影していることが第三者に分かり難いため、盗撮の虞がある。
そこで本発明の目的は、水中での盗撮等の悪用を有効に防止することが出来る携帯型電子機器を提供することである。
【課題を解決するための手段】
【０００５】
本発明に係る携帯型電子機器は、筐体にカメラが搭載されて画像撮影が可能であって、筐体には、筐体が水没状態であることを検知する水没検知手段と、カメラによる撮影時に音響若しくは光を発する撮影時動作手段と、該撮影時動作手段の動作を制御する制御手段とが配備され、前記制御手段は、前記水没検知手段によって筐体が水没状態であることが検知された場合、前記撮影時動作手段を非水没状態の通常動作から、水没状態での撮影であることを周囲に報知するための非通常動作に切り換えることを特徴とする。【０００６】
上記本発明の携帯型電子機器によれば、カメラによる撮影時に筐体が水没状態であることが検知されたとき、撮影時動作手段が非水没状態の通常動作から、水没状態での撮影であることを周囲に報知するための非通常動作に切り替わり、撮影時動作手段から発せられる音響若しくは光の変化によって、水没状態での撮影であることが周囲に報知される。この結果、盗撮目的の水中撮影に自制心が働くこととなる。【０００７】
又、本発明に係る携帯型電子機器は、筐体にカメラが搭載されて画像撮影が可能であって、筐体には、筐体が水没状態であることを検知する水没検知手段と、カメラによる撮影時に音響若しくは光を発する撮影時動作手段と、該撮影時動作手段の動作を制御する制御手段とが配備され、前記制御手段は、前記水没検知手段によって筐体が水没状態であることが検知され、且つ被写体に占める肌色部分の割合が所定値を越えている場合、前記撮影時動作手段を非水没状態の通常動作から、水没状態での撮影であることを周囲に報知するための非通常動作に切り換えることを特徴とする。【０００８】
上記本発明の携帯型電子機器によれば、カメラによる撮影時に筐体が水没状態であることが検知され、且つ被写体に占める肌色部分の割合が所定値を越えている場合に、撮影時動作手段が非水没状態の通常動作から、水没状態での撮影であることを周囲に報知するための非通常動作に切り替わる。
従って、水中で人物を撮影した場合に、撮影時動作手段が通常動作から非通常動作に切り替わり、撮影時動作手段から発せられる音響若しくは光の変化によって、水没状態での撮影であることが周囲に報知される。この結果、盗撮目的の水中撮影に自制心が働くこととなる。【０００９】
具体的構成において、前記撮影時動作手段は、カメラによる撮影時に音響を発するスピーカである。
前記制御手段は、カメラによる撮影時に、前記スピーカからシャッター音を発生させるものであって、非通常動作では通常動作よりも大きな音量を設定する。
或いは、前記制御手段は、水没状態でのカメラ撮影時に、前記スピーカから撮影の旨を報知する音声を発生させるものである。【００１０】
該具体的構成によれば、水中での撮影時に、スピーカから大音量のシャッター音や、撮影の旨を報知する音声が発生するので、その音響によって水没状態での撮影であることが周囲に報知される。【００１１】
他の具体的構成において、前記撮影時動作手段は、カメラによる撮影時に発光すべきフラッシュである。
前記制御手段は、非通常動作では前記フラッシュを強制的に発光させるものである。
該具体的構成によれば、水中での撮影時に、フラッシュが強制的に発光されるので、その光によって水没状態での撮影であることが周囲に報知される。【００１２】
又、更に具体的な構成においては、前記肌色として複数の色が設定される。
該具体的構成によれば、被写体の肌色として複数の色を設定できるため、人物を撮影したか否かを正確に検知することが出来、非通常動作への切り換え動作をより適切に行なうことが出来る。
【発明の効果】
【００１３】
本発明に係る携帯型電子機器によれば、水没状態での撮影時に音響や光によってその旨が周囲に報知されるので、水中での盗撮等の悪用を有効に防止することが出来る。
【図面の簡単な説明】
【００１４】
【図１】図１は本発明に係る携帯型電子機器の一実施形態である携帯電話機の正面図である。
【図２】図２は本発明に係る携帯型電子機器の一実施形態である携帯電話機の背面図である。
【図３】図３は本発明に係る携帯型電子機器の一実施形態である携帯電話機の電気的な構成を表わすブロック図である。
【図４】図４は本発明に係る携帯型電子機器の一実施形態である携帯電話機の撮影時の制御手続きを表わすフローチャートである。
【符号の説明】
【００１５】
(12)  筐体
(１)  制御回路
(３)  スピーカ
(４)  ディスプレイ
(５)  圧力センサー
(６)  カメラ
(７)  フラッシュ
【発明を実施するための最良の形態】
【００１６】
以下、本発明に係る携帯型電子機器を携帯電話機に実施した形態につき、図面に沿って具体的に説明する。
本発明に係る携帯型電子機器の一実施形態の携帯電話機は、図１に示す如く、折り畳み可能な筐体(12)の内面にディスプレイ(４)と複数の操作キー(13)が配備されている。筐体(12)の端部には、筐体(12)の表面から僅かに凹んだ位置に、筐体(12)が水没状態であるか否かを検知するための圧力センサー(５)が設置されている。又、筐体(12)の背面には、図２に示す如く、撮影のためのカメラ(６)とフラッシュ(７)が配備されている。【００１７】
図３は、上記携帯電話機の電気的な構成を表わしており、マイクロコンピュータ等から構成される制御回路(１)には、電話通信のためのアンテナ(２)、受話部となるスピーカ(３)、前記のディスプレイ(４)、圧力センサー(５)、カメラ(６)及びフラッシュ(７)が接続されている。【００１８】
図４は、上記携帯電話機の撮影時の制御手続きを表わしている。尚、図４に示される各ステップの動作は、図３に示される制御回路(１)がメモリ等に記憶されるプログラムと協働することにより実現される。
電源が投入されると、先ずステップＳ１にてカメラが起動され、ステップＳ２では、前記圧力センサー(５)の検知信号に基づいて前記筐体(12)の状態が水没状態であるか否かが判断される。圧力センサー(５)によって検知された圧力が大気圧であれば、前記筐体(12)の状態が水没状態でないと判断され、圧力が大気圧以上であれば、前記筐体(12)の状態が水没状態と判断される。【００１９】
ステップＳ２にて、前記筐体(12)の状態が水没状態でないと判断されたときは、ステップＳ３に移行して、地上撮影モード、即ち地上での撮影に適した撮影条件が設定されると共に、地上での撮影時に発生すべき通常のシャッター音やフラッシュ動作が設定される。その後、ステップＳ８に移行して、撮影動作が実行される。【００２０】
一方、ステップＳ２にて、前記筐体(12)の状態が水没状態であると判断されたときは、ステップＳ４に移行して、被写体に占める肌色部分の割合Ｒが算出され、ステップＳ５では、その割合Ｒが所定値Ｒｔ以下であるか否かが判断される。ここで、所定値Ｒｔは、人物を撮影した場合の肌色部分の割合に応じて予め設定されている。【００２１】
ステップＳ５にてイエスと判断されたときは、ステップＳ６に移行して、通常水中撮影モード、即ち、水中撮影に適した撮影条件が設定されると共に、通常の音量によるシャッター音の発生とフラッシュ動作が設定される。
これに対し、ステップＳ５にてノーと判断されたときは、ステップＳ７に移行して、非通常撮影モード、即ち、水中撮影に適した撮影条件が設定されると共に、通常よりも大きな音量によるシャッター音の発生と強制フラッシュ動作が設定される。
その後、ステップＳ８に移行して、撮影動作が実行される。【００２２】
上記携帯電話機によれば、水中での撮影であって、且つ被写体が人物であると判断される場合に、通常よりも大きな音量でシャッター音が発生すると共に、フラッシュが強制的に発光して、周囲に水中での撮影であることが報知されるので、水中での盗撮等の悪用を有効に防止することが出来る。【００２３】
本発明の各部構成は上記実施の形態に限らず、特許請求の範囲に記載の技術的範囲内で種々の変形が可能である。例えば水中撮影時には、通常よりも大きな音量によるシャッター音の発生と強制フラッシュ動作の両方に限らず、何れか一方の動作を設定することも可能である。又、通常よりも大きな音量によるシャッター音の発生に替えて、「撮影しました」等の撮影の旨を報知する音声を発生させることも可能である。更に、水中撮影時に発生すべき音響や光としては、水中で大きく減衰せずに伝搬する波長を有するものを採用することが有効である。【００２４】
又、上記実施の形態では、図４のステップＳ２において、圧力センサー(５)によって水没状態か否かを判断する基準として大気圧を用いたが、本発明に係る携帯型電子機器はこの様な構成に限定されるものではなく、大気圧以外の値を適宜用いることも出来る。【００２５】
又、上記実施の形態では、図４のステップＳ４において、被写体に占める肌色部分の割合Ｒを算出している。ここで、本発明に係る携帯型電子機器では、この算出に使用する肌色を、特定色に限定するものではない。即ち、図４に示されるステップＳ４では、人物を撮影していることを検出するために肌色部分の割合Ｒを算出している。そのため、この肌色として、それぞれの地域、環境などに基づいて任意の色を設定することが出来、例えば、フレッシュ(flesh)、薄橙、ペールオレンジ(pale orange)、ピーチ(peach)等、その他の任意色をこの肌色として設定することが出来る。
又、本発明に係る携帯型電子機器では、この肌色として、例えば複数の色を設定することも出来る。その場合、水没中において人物を撮影しているか否かの判断をより適切に実行することが出来る。【００２６】
又、上記実施の形態では、図４のステップＳ７において非通常水中撮影モード(非通常動作)を設定している。この非通常水中撮影モードの動作は、周囲に水中での撮影であることを報知する動作であれば足り、例えば複数回数のフラッシュ動作を行なうなどの動作を組み合わせてもよく、上記実施の形態で示された動作に限定されるものではない。
又、本発明に係る携帯型電子機器が水没する水中を特定の水中に限定するものではなく、風呂、プール、河川、海等の任意の水中であってよい。
又、本発明に係る携帯型電子機器では、水没状態を、筐体の全部が水中にある状態に限定するものではなく、筐体の一部が水中にある状態も水没状態に含まれる。【００２７】
又、上記実施の形態では、圧力センサーが検知した圧力により水没状態か否かを判定しているが、本発明に係る携帯型電子機器では、この圧力センサーのような水没検知手段に限定されるものではなく、その他にも、例えば、水没による電気的導通状態の変化を検知するセンサーや、水没して特性が変化する材料の特性変化を検知する手段(例えば、水没することにより光の反射率が変化する材料を用いてこの反射率の変化を検知する手段など)など、任意の水没検知手段を用いることができる。【００２８】
又、上記実施の形態では、図４に示されるステップＳ４及びステップＳ５により被写体に占める肌色部分の割合Ｒを算出しているが、本発明に係る携帯型電子機器では、この様な肌色部分の割合を算出する処理を省略することも可能である。即ち、本発明に係る携帯型電子機器として、ステップＳ２にて水没状態を検知した後、ステップＳ４及びステップＳ５を省略し、図４に示されるステップＳ７の非通常水中撮影モードに移行することも可能である。【００２９】
尚、本願が優先権主張の基礎とする日本国特許出願２００７−２５０７５９の開示は、引用により本願の開示中に導入される。
【図１】
2009041608.tif 000003
【図２】
2009041608.tif 000004
【図３】
2009041608.tif 000005
【図４】
2009041608.tif 000006
【国際調査報告】
2009041608.tif 000007
2009041608.tif 000008
2009041608.tif 000009
2009041608.tif 000010